(57)【要約】      （修正有）【課題】高圧にも耐え得る噴霧用としての機能を、散水用としての機能と共に兼ね備えたことで、用途に応じて使い分けることができる散水・噴霧用ホースを提供する。【解決手段】Ｔ字型の空洞を呈した連結具１１によってホース体１０が連結され、Ｔ字型の両手部分はホース体１０に挿入され、Ｔ字型の脚部分は小孔を有する金属製の噴霧ノズルが螺装される出水穴が形成されており、ホース体１０における両手部分の挿入領域には、押圧具１２ａ，１２ｂが取り付けられて締め付けられている。【選択図】図１
0003137704.tif 000002
【実用新案登録請求の範囲】
【請求項１】
連結口を両端に有し、複数のホース体を連結具によって連結した散水・噴霧用ホースであって、
前記連結具はＴ字型の空洞を呈しており、Ｔ字型の両手部分はホース体に挿入され、Ｔ字型の脚部分は出水穴が形成されており、
前記ホース体における前記両手部分の挿入領域には、押圧具が取り付けられている散水・噴霧用ホース。
【請求項２】
前記出水穴には、小孔を有する噴霧ノズルが螺装されている請求項１記載の散水・噴霧用ホース。
【請求項３】
前記噴霧ノズルは、金属製である請求項２記載の散水・噴霧用ホース。
【請求項４】
前記連結口の一方には、封止キャップが螺装されている請求項１から３のいずれか記載の散水・噴霧用ホース。
【考案の詳細な説明】
【技術分野】
【０００１】
本考案は、蛇口等から供給された水を周囲に散布する散水・噴霧用ホースに関し、特に、散水用としての機能と噴霧用としての機能とを兼ね備えた散水・噴霧用ホースに関する。
【背景技術】
【０００２】
従来から、庭木や花壇、家庭菜園等で植えられた植物に水遣りを行う際には、散水用ホースやスプリンクラーが用いられている。
【０００３】
散水用ホースを用いる方法としては、水道栓につないだ分配器に穴を開けた散水チューブをつなぎ、その穴にミニスプリンクラー等の散水器具を取り付けて散水する方法が開示されている（特開２００３−１１１５２７号公報）。
【０００４】
ところで、近年、霧を発生させてマイナスイオン効果を楽しむこともなされている。
【考案の開示】
【考案が解決しようとする課題】
【０００５】
しかしながら、霧を発生させる噴霧器具は、霧として水を噴射させるための耐圧性が要求され、一般に用いられている耐圧性能のない散水用ホースでは不向きである。
【０００６】
また、特開２００３−１１１５２７号公報に開示されるようなミニスプリンクラー等によっても、耐圧性能の観点や、開けられた穴が高圧に耐え切れずに広がってしまい、結果として噴水機能しか有さないことになるなど、散水用ホースでは不向きである。
【０００７】
本考案は、このような点に鑑みてなされたものであり、その目的は、高圧にも耐え得る噴霧用としての機能を、散水用としての機能と共に兼ね備えたことで、用途に応じて使い分けることができる散水・噴霧用ホースを提供することにある。
【課題を解決するための手段】
【０００８】
以上のような課題を解決するために、本考案は、Ｔ字型の空洞を呈した連結具によってホース体が連結され、Ｔ字型の両手部分はホース体に挿入され、Ｔ字型の脚部分は小孔を有する金属製の噴霧ノズルが螺装される出水穴が形成されており、ホース体における両手部分の挿入領域には、押圧具が取り付けられて締め付けられていることを特徴とする。
【０００９】
より具体的には、本考案は、以下のものを提供する。
【００１０】
（１）  連結口を両端に有し、複数のホース体を連結具によって連結した散水・噴霧用ホースであって、前記連結具はＴ字型の空洞を呈しており、Ｔ字型の両手部分はホース体に挿入され、Ｔ字型の脚部分は出水穴が形成されており、前記ホース体における前記両手部分の挿入領域には、押圧具が取り付けられている散水・噴霧用ホース。
【００１１】
本考案によれば、出水穴が形成された連結具から水を噴射することができ、Ｔ字型の連結具の両手部分はホース体に挿入されて、挿入領域には押圧具が取り付けられて締め付けられていることから、高圧の水が供給されたとしても連結具が外れることなく、耐高圧性の散水・噴霧用ホースを提供することができる。
【００１２】
また、Ｔ字型の空洞を呈する連結具がホース体に挿入されていることから、ホース体の空洞断面積よりも連結具の空洞断面積を小さくすることができ、ホース体が連結具に挿入されている構成よりも、単位面積当りでより高圧の水を出水穴から噴射することができる。
【００１３】
（２）  前記出水穴には、小孔を有する噴霧ノズルが螺装されている散水・噴霧用ホース。
【００１４】
本考案によれば、小孔を有する噴霧ノズルが出水穴に螺装されていることから、出水穴が噴霧ノズルによって塞がれて散水機能はなくなるが、小孔から水が霧状になって噴射されることから、噴霧機能を発揮する散水・噴霧用ホースを提供することができる。
【００１５】
（３）  前記噴霧ノズルは、金属製である散水・噴霧用ホース。
【００１６】
本考案によれば、剛性率の高い部材で噴霧ノズルを構成する、例えば金属製の噴霧ノズルによって、噴射される水圧による小孔の変形（拡大）を抑えることができるので、噴霧機能を持続する散水・噴霧用ホースを提供することができる。
【００１７】
（４）  前記第２の連結口には、封止キャップが螺装されている散水・噴霧用ホース。
【００１８】
本考案によれば、他の散水・噴霧用ホースと連結して延長接続可能な第２の連結口を封止キャップによって封止することで、第２の連結口が閉鎖され、噴霧機能を発揮できるホース内圧を確保することができる。一方で、他の散水・噴霧用ホースと連結することなく第２の連結口を開放することによっては、噴水機能を発揮することができる。
【考案の効果】
【００１９】
以上説明したように、本考案は、散水用としての機能と噴霧用としての機能とを兼ね備えていることから、用途に応じて使い分けることができ、使い勝手を向上させることができる。
【考案を実施するための最良の形態】
【００２０】
以下、本考案を実施するための最良の形態について、図面に基づいて説明する。
【００２１】
図１は、本考案の実施の形態に係る散水・噴霧用ホース１の全体図である。
【００２２】
散水・噴霧用ホース１は、ホース体１０と、連結具１１と、押圧具１２ａ，１２ｂと、連結口１３ａ，１３ｂと、から構成される。
【００２３】
ホース体１０は、中空の耐圧樹脂で形成されており、例えば、軟質塩化ビニルの外周面にポリエステル糸を網状に巻いて補強し、さらに軟質塩化ビニルで覆うという三重構造となっている。２本のホース体１０を１個の連結具１１で連結していくことで、散水・噴霧用ホース１が構成される。
【００２４】
連結具１１は、複数のホース体１０を連結するもので、例えば、プラスチックで形成されている。詳細は図２に示すように、Ｔ字型の空洞を呈している。
【００２５】
Ｔ字型の両手部分１１ａ，１１ｂの外径は、ホース体の内径と略同一の径であり、ホース体１０に挿入されて、ホース体１０内を流れる水の水路となる。例えば、水が図２の矢印方向（左向き）に流れる場合は、１１ｂが入口、１１ａが出口となる。ホース体の内径よりも両手部分１１ａ，１１ｂの内径が小さいことから、また、Ｔ字型の脚部分には出水穴１１ｃが形成され、出水穴１１ｃには、噴霧ノズルを螺嵌するためのねじ孔が形成されている。
【００２６】
押圧具１２ａ，１２ｂは、ホース体１０の両端に覆設される。覆設される領域は、連結具１１のＴ字型の両手部分１１ａ，１１ｂが挿入されて位置する箇所であり、ホース体１０に押圧具１２ａ，１２ｂを覆設して、連結具１１を挿入した後に、押圧具１２ａ，１２ｂを押圧することで、連結具１１がホース体１０から抜けないように、連結具１１を固定する。なお、ホース体１０における両手部分の挿入領域１１ａ，１１ｂを連結具１１で固定するほか、接着剤で固定することもできる。
【００２７】
連結口１３ａ，１３ｂは、他の散水・噴霧用ホースと連結したり、水道の蛇口と接続したり、水道の蛇口と接続された接続ホースと連結したりするためのものである。
【００２８】
図３は、本考案の実施の形態に係る散水・噴霧用ホース１に螺装される噴霧ノズル２０の斜視図である。
【００２９】
噴霧ノズル２０は、つまみ部２０ｂに形成された貫通した小孔２０ａを有し、中空のボルト軸部２０ｃと小孔２０ａとが連なっている。小孔２０ａの径は、ボルト軸部２０ｃの内径（＝出水穴１１ｃの内径）よりも小さい。また、噴霧ノズル２０は金属製であるから、水圧によって小孔２０ａの径が広がることはなく、耐圧性に優れている。
【００３０】
図４は、本考案の実施の形態に係る散水・噴霧用ホース１を散水用ホースとして使用する状態を示す図である。
【００３１】
散水用ホースとして使用する場合には、出水穴１１ｃに噴霧ノズル２０を取り付けることなく、出水穴１１ｃを開放しておくことで、水を噴射することができる。
【００３２】
図５は、本考案の実施の形態に係る散水・噴霧用ホース１を噴霧用ホースとして使用する状態を示す図である。
【００３３】
噴霧用ホースとして使用する場合には、出水穴１１ｃに噴霧ノズル２０を取り付けることで、出水穴１１ｃを閉鎖し、噴霧ノズル２０に形成された小孔２０ａから水を霧状に噴射することができる。
【００３４】
図６は、本考案の実施の形態に係る散水・噴霧用ホース１に封止キャップ３０が螺装される状態を示す図である。
【００３５】
散水・噴霧用ホース１の連結口１３ａ，１３ｂの一方を封止する場合には、内部が螺旋状を呈する金属製の封止キャップ３０を螺装することで、ホース内を流れる水の水路を途絶えさせることができるので、噴霧用ホースとして使用するに必要な水圧を確保する。一方、散水用ホースとして使用する場合には、封止キャップ３０による封止は必ずしも必要としない。
【産業上の利用可能性】
【００３６】
本考案に係る散水・噴霧用ホース１は、噴霧ノズルの着脱により散水用として使用したり、噴霧用として使用したりすることができるものとして有用である。
【図面の簡単な説明】
【００３７】
【図１】本考案の実施の形態に係る散水・噴霧用ホースの全体図。
【図２】散水・噴霧用ホースに取り付ける連結具を示す図。
【図３】噴霧ノズルの斜視図。
【図４】散水用ホースとして使用する状態を示す図。
【図５】噴霧用ホースとして使用する状態を示す図。
【図６】散水・噴霧用ホースに封止キャップが螺装される状態を示す図。
【符号の説明】
【００３８】
１  散水・噴霧用ホース
１０  ホース体
１１  連結具
１２ａ，１２ｂ  押圧具
１３ａ，１３ｂ  連結口
２０  噴霧ノズル
２０ａ  小孔
２０ｂ  つまみ部
２０ｃ  ボルト軸部
３０  封止キャップ
【図１】
0003137704.tif 000003
【図２】
0003137704.tif 000004
【図３】
0003137704.tif 000005
【図４】
0003137704.tif 000006
【図５】
0003137704.tif 000007
【図６】
0003137704.tif 000008